(57)【要約】【課題】  本発明は、切削や研磨作業時に発生する切削粉の飛散を抑え効率良く集塵し、衛生面の向上と作業時の切削物に視認向上のためのジェット・エアーカーテンを利用した内循環型の集塵機を提供する。【解決手段】  クリーンＢＯＸ（１）の上部に多数のジェットノズルを備えたフラット型の噴射装置（２）を４個設置し四角形になるようにする。また下方底面部に切削粉が集塵できるように吸引装置を設置する。  上部の噴射装置（２）からジェット・エアーを切削物に向けて噴射して切削時に発生する粉塵を下方に移動させる。  その際四角形のジェット・エアーカーテンが切削物の周りに包み込むように噴射してクリーンＢＯＸ外に粉塵が飛び出ないように気流の流れを作るように設定する。  吸入されたエアーは、クリーンフィルターを通して粉塵を除去し浄化された後、吸引と噴出を兼ね備えた強力な送風装置（６）により再びジェット・エアーに供給される内循環型にする。【選択図】図１
2018001395.tif 000002
【特許請求の範囲】
【請求項１】
切削や研磨作業時に発生する切削粉の飛散を抑え効率良く集塵し、衛生面の向上と作業時の切削物に視認向上のためのジェット・エアーカーテンを利用した集塵機に関するものである。
【請求項２】
クリーンＢＯＸの上部に多数のジェットノズルを備えたフラット型の噴射装置を４個設置し四角形になるようにする。また下方底面部に切削粉が集塵できるように吸引装置を設置する。
上部の噴射装置からジェット・エアーを切削物に向けて噴射して切削時に発生する粉塵を下方に移動させる。
その際四角形のジェット・エアーカーテンが切削物の周りに包み込むように噴射してクリーンＢＯＸ外に粉塵が飛び出ないように気流の流れを作るように設定する。
【請求項３】
吸入された粉塵を含んだエアーは、クリーンフィルターを通して粉塵を除去し浄化された後、吸引と噴出を兼ね備えた強力な送風装置により再びジェット・エアーに供給される内循環型にする。
【発明の詳細な説明】
【技術分野】
【０００１】  本発明は、切削や研磨作業時に発生する切削粉の飛散を抑え効率良く集塵し、衛生面の向上と作業時の切削物に視認向上のためにジェット・エアーカーテンを利用した内循環型の集塵機に関するものである。
【背景技術】
【０００２】  歯科診療においてクラウン・ブリッジの咬合調整やデンチャーの調整には、必ず切削や研磨作業が必要になってくる。
また診療室のチェアーサイドや技工室おいて、歯科材料には石膏、プラスチック、セラミック、金属等がありこれらで作られた歯型、義歯等を切削や研磨作業時に粉塵が発生し、部屋の衛生環境の汚染や術者や患者の健康への影響が懸念されている。
近年、医療現場での衛生面を向上させようと口腔外バキュームやエアークリーナーなどいろいろなアイデアが試行錯誤されている。
しかしながら既製のどのクリーンＢＯＸや集塵機おいてもジェット・エアーカーテン噴射装置を備えた集塵機がないのが現状である。
【先行技術文献】
【０００３】
【特許文献】
【非特許文献】
【発明の概要】
【発明が解決しようとする課題】
【０００４】  診療室のチェアーサイドや技工室おいて、切削や研磨作業時に粉塵が発生し、部屋の衛生環境の汚染や術者や患者の健康への影響が懸念されている。
医療現場の衛生面を向上させようとクリーンＢＯＸや口腔外バキュームやエアークリーナーなどいろいろなアイデアが試行錯誤されているが、いずれの既製のものは、エアーの吸引による気流の力だけを利用しており、エアーの噴射と吸引を兼ね備えて気流の力を川の流れのように利用し切削や研磨作業時に発生した粉塵を集塵する集塵機が存在しなかった。
また吸引による気流の力だけを利用している集塵機は、気流の力が比較的弱く切削時に勢いづいた切削片の一部が集塵されなく部屋に飛び散ることがあった。
本発明は、切削や研磨作業時に発生する粉塵をジェット・エアーの力を利用して気流を川の流れのようにつくり集塵し、切削物の視認性の向上とエアーカーテン効果による切削粉の飛散防止を同時に行うことのできる集塵機を提供するものである。
【課題を解決するための手段】
【０００５】  本発明では上記目的を達成するために、次の技術手段を講じている。
クリーンＢＯＸの上部に多数のジェットノズルを備えたフラット型の噴射装置を４個設置し四角形になるようにする。また下方底面部に切削粉が集塵できるように吸引装置を設置する。
上部の噴射装置から下方にジェット・エアーを切削物に向けて噴射して切削時に発生する粉塵を気流の力を利用して下方に移動させる。
その際四角形のジェット・エアーカーテンが切削物の周りに包み込むように噴射してクリーンＢＯＸの外に粉塵が飛び出ないように気流の流れを作るように設定する。
対面する下部に、切削物が万が一落下しても吸引されない程度の網目状の隔壁を備えた集塵のための吸入口を設置する。
吸入された粉塵を含んだエアーは、クリーンフィルターを通して粉塵を除去し浄化された後、吸引と噴出を兼ね備えた強力な送風装置により再びジェット・エアーに供給される内循環型にする。
【発明の効果】
【０００６】  今回開発したジェット・エアーカーテン噴射装置付き集塵機を使用することで以下の利点が考えられる。
▲１▼ジェット・エアーカーテンで切削粉塵を除去することにより切削物に視認性が向上し効率良く作業できる。
▲２▼ジェット・エアーカーテンの気流に粉塵が包み込まれるように集塵するためクリーンＢＯＸから粉塵が漏れでないため作業環境が衛生的に保たれる。
▲３▼内循環型のため集塵した粉塵を効率良く処理できる。
▲４▼医院内の衛生環境が汚染されることを防止できる。
今回開発したジェット・エアーカーテン噴射装置付き集塵機を使用することにより切削や研磨時に発生した粉塵を率良く集塵ことができ、また切削物の視認性を向上させ作業効率が上がると共に医院内の衛生環境が清潔に保たれるものと考えられる。
【図面の簡単な説明】
【０００７】
【図１】本発明のジェット・エアーカーテン噴射装置付き集塵機の斜視図である。
【図２】本発明のジェット・エアーカーテン噴射装置の斜視図である。
【発明を実地するための形態】
【０００８】以下、本発明の実地の形態について、図面を参照しつつ詳細に説明すれば図１においてジェット・エアーカーテン噴射装置付き集塵機の構造は、クリーンＢＯＸ（１）の上部にジェット・エアーカーテン噴射装置（２）を４個設置し四角形になるようにする。また下方底面部に切削粉が集塵できるように吸引口を設置する。
４個の多数のジェットノズルを備えたフラット型の噴射装置から噴射されたエアーがカーテン状に切削物を包み込むように下方に流れ吸引口に吸い込まれて行くようなエアーの流れができるように調整する。
対面する下部に、切削物が万が一落下しても吸引されない程度の網目状の隔壁を備えた集塵のための吸入口を設置する。
吸引口から吸いこまれた粉塵を含んだエアーは、クリーンフィルターを通して粉塵を綺麗に分離された後、再び吸引と送風を兼ね備えた強力な送風装置により送風管を通してジェット・エアーカーテン噴射装置に送り込まれジェット・エアーとして噴射される。
図２は、多数のジェットノズルを備えたフラット型の噴射装置。
【符号の説明】
【０００９】    １  クリーンＢＯＸ
２  フラット型で多数ジェットノズルを備えた噴射装置
３  送風管
４  吸引口
５  吸引管
６  送風装置
７  作業時に手を入れる部分
【図１】
2018001395.tif 000003
【図２】
2018001395.tif 000004